【事件の表示】
　平成８年商標登録願第４５５３３号拒絶査定に対する審判事件について、次のとおり審決する。
【結　論】
　本件審判の請求は、成り立たない。
【理　由】
１　本願商標
　本願商標は、「ＶＯＩＣＥＣＡＲＤ」の欧文字を横書きしてなり、第９類に属する願書記載の商品を指定商品として、平成８年４月２５日に登録出願されたものであるが、その後、指定商品については、平成９年１１月１２日付けの手続補正書によって、「理化学機械器具，測定機械器具，電池，電気磁気測定器，電線及びケーブル，写真機械器具，映画機械器具，光学機械器具，眼鏡，加工ガラス（建築用のものを除く。），電気通信機械器具，電子応用機械器具及びその部品，電気アイロン，電気式ヘアカーラー，電気式ワックス磨き機，電気掃除機，電気ブザー，消防艇，防じんマスク，防毒マスク，磁心，抵抗線，電極，溶接マスク」と補正されたものである。
　
２　当審において通知した拒絶の理由
　当審では、平成１４年１１月１２日付けの拒絶理由通知書をもって、以下の旨の拒絶の理由を通知した。
「この商標登録出願に係る商標は、『ＶＯＩＣＥＣＡＲＤ』の文字を普通に用いられる方法で表してなるところ、該文字の片仮名表示である『ボイスカード』の文字は、音声の録音・再生機能を有するカード型の装置を意味する語として、日常生活の場において一般に使用されている事実が認められる。このことは、以下の株式会社ジー・サーチの提供に係る新聞記事情報データベース及びインターネットの各種商品情報を紹介するサイトからも確認することができる。
（１） 新興医学出版社（文京区）から発売された『ボイスカード』。通院先で、国内有数の失語症リハビリのノウハウを持つ東京都江戸川区の江戸川病院が監修した。『病院』や『電車』などの写真や絵が印刷されたカードで、付属のスキャナーでなぞると音声も出て、正しい発音や書き取りの訓練ができる。（『朝日新聞』２０００年９月２４日東京地方版）
（２）二十日は『父の日』。・・・ 直接は照れくさい感謝の言葉を録音する『ボイスカード』を売り出したり・・・贈り物に添える『ボイスカード』が阪急百貨店で好評だ。カードについているボタンを押すと、録音しておいたメッセージが約十秒間再生する仕組み。（『朝日新聞』１９９９年６月１９日大阪地方版）
（３）花き販売の日比谷花壇・・・は、インターネットやパソコン通信を利用して、贈り主から贈り先への音声メッセージをメモリーチップ内蔵カードにより届ける新サービス『ハート・コミュニカ』を開始した。これまでネットワーク上で展開してきた生花のオンライン通販に付加価値をつけるもので、生花とボイスカードのセットが、しゃれたギフトにうってつけとして、特にクリスマス期の需要を見込んでいる。・・・（２）日比谷花壇では、メモリーチップ内蔵のボイスカードに、送られてきた声や音を転写する（３）贈り先に対して花とボイスカードを一緒に届ける―というもの。価格は九百円。ボイスカードには約十秒のメッセージが入り、カードを押すことで一千回程度、繰り返してメッセージが聞ける。（『流通サービス新聞』１９９５年１２月８日９頁）
（４）商品検査センターから“有機栽培・無農薬野菜の促進”『ボイスカード注文書の企画づくり』や同生協の一年間の動き・・・をパネル展示したほか・・・（『日本食糧新聞』１９９３年５月２６日）
（５）民間の信用調査機関によると、ピーシーシーは七七年の設立、資本金五千万円。集魚灯やボイスカード、カード計数機などの販売業績を伸ばし、昨年三月期の売り上げは約百八十億円。（『毎日新聞』１９９１年２月２６日東京朝刊３１頁）
（６）都内の百貨店では内蔵されたＩＣに約１０秒間のメッセージが吹き込める『ボイスカード』や、自分の電話番号を記憶させたオートダイヤルテレホンカードを売り出したり・・・（『朝日新聞』１９９０年２月１０日東京夕刊１５頁）
（７）有楽町阪急、新宿伊勢丹では、約十秒間のメッセージがＩＣカードに録音できる『ボイスカード』（二千円）を『あなたの声の贈り物』と目玉にしている。（『読売新聞』１９９０年１月３０日東京朝刊９頁）
（８）検索サイト『goo』で音声付きメッセージカード『gooボイスカード』開始！／ーポータル初のボイスカードサービスー／株式会社エヌ・ティ・ティエックス・・・が運営する検索サイト『goo』(*2)(http://www.goo.ne.jp/)では、『gooコミュニティ』内にて、平成12年12月11日（月）より平成13年1月15日（月）までの期間限定で、音声メッセージを送ることができるサービス『goo ボイスカード』を開始します。音声付きのカードサービスはポータル初のサービス提供となります。／１．『gooボイスカード』の概要／・URL：http://vcard.goo.ne.jp/ ／『gooボイスカード』は、インターネットを利用して送信する電子グリーティングカードに、電話を通じて録音した自分のボイスメッセージを添えて、無料で送ることができるカードサービスです。（http://www.goo.ne.jp/help/info/n_release/n_001211_1.html ）
（９）ボイスカードは、自分の声でメッセージを入れて、友達や恋人に送ったり、そのままフォトスタンドとして飾っておけるハッピーなカードです。結婚式、卒業記念、クリスマス、バースデーなどの思い出をいつまでもその時の声や音を写真と一緒に残すことが出来ます。そしてスイッチを押す度に思い出の声が聞こえます。あなたの大切な一枚を机の上に飾ってください。（http://you-craft.land.to/ ）
（１０）いつまでも残したいシーンを声の出るカードに。／ボイスカードは、自分の声を入れて、ご両親やなかなか会えない友人に送ったりお子様の成長の記録としてフォトスタンドとして飾っていただけます。お子様の誕生記念や、結婚式、おじいさんおばあさんの賀寿の記念日に卒業記念・クリスマスやバースデーなどの想い出をその時の声や音を写真と一緒に残すことが出来ます。そしてスイッチを押すたび想い出の声が聞こえます。あなたの大切な一枚を机の上に飾ってください。（http://www6.nsk.ne.jp/c.s/vct2.htm ）
（１１）ロリーヌでは　カードにメッセージが吹き込める“ボイスカード”を取り扱っています／STEP.1【録音】／ボタンを押して　カードに声を吹き込みます。伝えたいこと、残しておきたい言葉を10秒間話します。／STEP.2【再生】／吹き込んだ声を聴いてみましょう。ボタンを押すだけで、録音した声を聴くことができます。／STEP.3【再録音】／STEP.1.2の手順で再度録音できます。録音再生回数：約300回／ボイスカードは　BOOK(折畳み)形式です。《有料：1300円です。》寸法：　縦　11cm　横　16cm（http://www.caroline.co.jp/cado.htm）
（１２）ボイスカード／ プレゼント・バレンタインデー・お祝いや記念品にどうぞ！／貴方の声を１０秒間録音したカードです（消去出来ません）／ はがき大の寸法でポケットやバックに入れたりテレビの上に飾っていつでも何処でも、簡単に『あなたの声・あの人の声』を聞く事ができます。（http://www.aichi-iic.or.jp/co/a8-meiwa-kako/BOISU.html）
（１３）ボイスカード・ボイカ／自分の声を録音できるメッセージカード。自分の声を録音できるボイスヘッド内蔵の、おしゃべりカード『ボイカ』。いろんな場面に、いろんな人へ新しくメッセージいま、楽しく新発売。（http://www.moubic.com/products/voice/voica.html）
（１４）『ボイスカード』の特徴／１、 操作はカンタン！らくらく録音！ ２、いつでも、どこでも、１５００回以上再生可能。３、何枚でもコピーができます。（http://www.nontan.info/news/voice2/）
（１５）ボイスカード／フォトスタンドからオリジナルメッセージが流れます。録音・再選機能を持たせた写真付きメッセージカードを低価格にて商品化致しました。 ＩＣチップ・スピーカーを組み込んだカードに専用レコーダーで入力。 録音時間は１０秒、１５００回以上の再生が可能です。（http://www.ishikawashokokai.or.jp/tatsunokuchi/company/cs/2a.html ）
（１６）ボイスカード（失語症言語訓練キット）／●このカードには美しい画像と共にデジタル化した音声コードが印刷され、付属のスキャントークリーダーを使って、音声を再生することができます。●音声と画像を同時に失語症者に提供できることから、言語訓練の効果的展開が可能となります●セット品をご購入の方にはスキャントークラベルプリンタをプレゼント中！（http://www3.vc-net.ne.jp/~shinkoh/kigu/sirize/card.html）
（１７）ボイスメッセージカード／聞こえるんです／伝えたい気持ち、残したい思い出をそのまま録音、いつでも再生／録音・再生一体式カード、『聞こえるんです』は、簡単な操作により、自分の声をご自身で録音・再生出来る、新タイプのグリーティングカードです。人生の大切な記念日やとっておきのイベントなどの、様々なシーンで、お使いいただけます。・・・ボイスメッセージカードの使い方／録音のしかた／録音ボタンを2つ同時におしたまま録音します（マイクは本体に内蔵されています　録音時間：約20秒　写真、カードを本体より抜いて録音するとより鮮明に録音できます）／再生のしかた／再生ボタンを1回押すと、再生されます／録音・再生回数は最大約300回まで同じ手順で出来ます（内蔵された電池の寿命までです）（http://www.rakuten.ne.jp/gold/andynet/voicecard）
（１８）声を贈れるボイスメッセージカード『プカプカハート』／概要：録音・再生一体型カード『ボイスメッセージカード』は、簡単な操作で、贈る方の気持ちを声と共に贈れる新タイプのグリーティングカードです。開くと録音や再生ができます。また、メッセージの記入やお写真を添えることができます。（http://www.netdear.com/detail/05227/00013.html）
（１９）ボイスメッセージカード『聞こえるんです』は、あなたの声をご自身で録音できるメッセージカードです。簡単な操作で約２０秒間、音声を録音することができます。上書きも３００回可能なので、失敗しても何度でも録音できます。遠くに住むおじいちゃまやおばあちゃまにお孫さんの声を、結婚式に花嫁さんと花婿さんにメッセージを、送別会で激励の声を、カードに託して贈ってみませんか？（http://www.rakuten.co.jp/bousaikan/417808/417814/）　
　上記の実情からすると、本願商標をその指定商品中『カード型の音声録音装置・音声録音再生装置・音声再生装置』等に使用するときは、これに接する取引者、需要者は、その商品の品質、形状を表示したものと直ちに理解、認識するというべきであり、また、前記商品以外の商品に使用するときは、商品の品質について誤認を生じさせるおそれがあるといわなければならない。したがって、本願商標は、商標法第３条第１項第３号及び同第４条第１項第１６号に該当する。」
  　
３　当審の判断
　当審において、請求人に対し、新たに前記２の拒絶の理由を通知し、相当の期間を指定して意見書を提出する機会を与えたが、請求人からは何らの意見、応答もない。
　そして、前記２の拒絶の理由は妥当なものと認められるので、本願は、この拒絶の理由によって拒絶をすべきものである。
　よって、結論のとおり審決する。